(57)【要約】【課題】重量を増大させることなくバックステーの座屈強度を向上させ、作業の安全性を確保することができる杭打機を提供する。【解決手段】リーダ１５を支持する一対の２２バックステーは、リーダ１５に連結される上部ステー部材２２ａと、ベースマシン１２に接続される下部ステー部材２２ｂとを、双方のバックステー２２中間部を連結する着脱可能な連結ステー２９を介してそれぞれ回動可能に連結して形成する。連結ステー２９は、上部ステー部材２２ａを回動可能に連結する上部連結部２９ａと、下部ステー部材２２ｂを回動可能に連結する下部連結部２９ｂとを備える。連結ステー２９の一端側とリーダ１５とを回動可能に連結する第１補強リンク部材３２と、連結ステー２９の他端側とリーダ１５とを回動可能に連結する第２補強リンク部材３３とを着脱可能に設ける。【選択図】図４
2019002160.tif 000002
【特許請求の範囲】
【請求項１】
ベースマシンの前部に起伏可能に設けられるリーダに上端を連結し、下端を前記ベースマシンに接続した一対のバックステーを備えた三点支持式の杭打機において、
前記各バックステーは、前記リーダの上部に上端部が連結される上部ステー部材と、下端部がステーシリンダを介して前記ベースマシンの後部に接続される下部ステー部材とを、双方のバックステーの中間部を連結する着脱可能な連結ステーを介してそれぞれ回動可能に連結して形成され、
前記連結ステーは、各上部ステー部材の下端をそれぞれ回動可能に連結する上部連結部と、各下部ステー部材の上端をそれぞれ回動可能に連結する下部連結部とを備え、
前記連結ステーの一端側と前記リーダとを連結する第１補強リンク部材と、前記連結ステーの他端側と前記リーダとを連結する第２補強リンク部材とを着脱可能に設けたことを特徴とする杭打機。
【発明の詳細な説明】
【技術分野】
【０００１】
本発明は、杭打機に関し、詳しくは、ベースマシンに起伏可能に設けたリーダを、左右一対のバックステーにて支持した三点支持式の杭打機に関する。
【背景技術】
【０００２】
三点支持式の杭打機は、ベースマシン前部に起伏可能に設けられるリーダと、該リーダ起立時に、リーダを後方から支持する一対のバックステーとを備えており、バックステーは、上端をリーダに、下端をステーシリンダを介してベースマシンにそれぞれ接続する円筒状の一体部材で形成されていた（例えば、特許文献１参照。）。
【先行技術文献】
【特許文献】
【０００３】
【特許文献１】特開２００７−３１９７７号公報
【発明の概要】
【発明が解決しようとする課題】
【０００４】
しかし、大型の杭打機では、リーダが長尺になるとともにバックステーも長尺になり、特許文献１のように、一体部材で形成されたバックステーでは、座屈強度が不足する虞があった。バックステーの座屈強度が不足すると、ベースマシンの上部旋回体を旋回させる際や走行時、さらに、作業装置の押し込み時に、バックステーが撓み、リーダが不安定となり、安全性が損なわれる虞があった。また、バックステーの径を大きくしてバックステーの座屈強度を向上させることが考えられるが、バックステーの径を大きくすると、重量が増加し、作業性能が低下する虞があった。
【０００５】
そこで本発明は、重量を増大させることなくバックステーの座屈強度を向上させ、作業の安全性を確保することができる杭打機を提供することを目的としている。
【課題を解決するための手段】
【０００６】
上記目的を達成するため、本発明の杭打機は、ベースマシンの前部に起伏可能に設けられるリーダに上端を連結し、下端を前記ベースマシンに接続した一対のバックステーを備えた三点支持式の杭打機において、前記各バックステーは、前記リーダの上部に上端部が連結される上部ステー部材と、下端部がステーシリンダを介して前記ベースマシンの後部に接続される下部ステー部材とを、双方のバックステーの中間部を連結する着脱可能な連結ステーを介してそれぞれ回動可能に連結して形成され、前記連結ステーは、各上部ステー部材の下端をそれぞれ回動可能に連結する上部連結部と、各下部ステー部材の上端をそれぞれ回動可能に連結する下部連結部とを備え、前記連結ステーの一端側と前記リーダとを連結する第１補強リンク部材と、前記連結ステーの他端側と前記リーダとを連結する第２補強リンク部材とを着脱可能に設けたことを特徴としている。
【発明の効果】
【０００７】
本発明の杭打機によれば、各バックステーを上部ステー部材と下部ステー部材とに分割し、双方のバックステーに亘って架け渡される連結ステーを介して回動可能に連結し、連結ステーの一端側とリーダとを連結する第１補強リンク部材と、連結ステーの他端側とリーダとを連結する第２補強リンク部材とを設けたことにより、重量を増大させることなくバックステーの座屈強度を向上させることができる。また、上部ステー部材と下部ステー部材とは、リーダの前後調整や角度調整を行う際に、リーダの動作に追随してリーダを支持することができることから、作業性を損なうことがない。
【図面の簡単な説明】
【０００８】
【図１】本発明の一形態例を示す杭打機の側面図である。
【図２】同じく背面図である。
【図３】同じく要部側面図である。
【図４】図３のIV-IV断面図である。
【図５】本発明の一形態例を示す要部背面図である。
【図６】同じくリーダとバックステーとを前方に載置した状態の杭打機の平面図である。
【図７】同じくリーダとバックステーとを前方に載置した状態の杭打機の側面図である。
【図８】図７のVIII-VIII断面図である。
【図９】本発明の一形態例を示す第１補強リンク部材と第２補強リンク部材とを取り付ける過程を示す杭打機の側面図である。
【図１０】同じくリーダとバックステーを起立させる過程を示す杭打機の側面図である。
【発明を実施するための形態】
【０００９】
図１乃至図５は、本発明の三点支持式の杭打機１１の一形態例を示す図で、この杭打機１１のベースマシン１２は、クローラを備えた下部走行体１３の上部に、旋回ベアリングを介して上部旋回体１４が旋回可能に設けられている。上部旋回体１４は、前部に、リーダ１５及びフロントジャッキ１６，１６が取り付けられるリーダブラケット１７が設けられ、後部に、リアジャッキ１８，１８とステーシリンダ取付部１９とが設けられている。
【００１０】
リーダ１５は、リーダブラケット１７に対して前後左右に傾動可能に取り付けられるリーダ基部材１５ａの上部に、複数のリーダ部材１５ｂを連結して形成されている。リーダ１５の上部には、リーダ１５を保持するリーダホルダ２０が設けられ、リーダホルダ２０の後部には、ステーシリンダ２１，２１を介して上部旋回体１４の後部に接続される左右一対のバックステー２２，２２の先端が連結され、該バックステー２２，２２によってリーダ１５が後方から支持されている。リーダ１５の中間部のバックステー２２，２２と対向する側には、バックステー連結ブラケット２３が設けられ、該バックステー連結ブラケット２３は、左右方向に突出する一対の連結腕２３ａ，２３ａと、外端面両側部からそれぞれ突出し、リーダ組立時に用いられる二股状の組立時連結ブラケット２３ｂ，２３ｂとを備えている。
【００１１】
リーダ１５の頂部には、ワイヤロープ２４が掛け回される複数のガイドシーブを回転可能に備えたトップシーブブロック２５が設けられ、リーダ１５の前面には、各種作業装置、例えば、オーガを駆動するオーガ駆動装置（図示せず）がリーダ１５に沿って昇降可能に設けられる。さらに、トップシーブブロック２５の後部側と上部旋回体１４との間には、作業時に掛かる荷重によってリーダ１５が撓むことを防止するバックテンションロープ２６が設けられている。また、上部旋回体１４の後部には、ガントリ２７が立設され、起伏ウインチ（図示せず）からの起伏ロープ２８ａが、ペンダントロープ２８ｂを介してバックステー連結ブラケット２３に連結されている。
【００１２】
バックステー２２，２２は、リーダホルダ２０に連結される上部ステー部材２２ａ，２２ａと、ステーシリンダ２１，２１を介して上部旋回体１４に連結される下部ステー部材２２ｂ，２２ｂとを、双方のバックステー２２，２２の中間部を連結する連結ステー２９を介して回動可能に連結したもので、上部ステー部材２２ａ，２２ａの下端には、連結ステー２９に連結される上部ステー連結部２２ｃ，２２ｃが、下部ステー部材２２ｂ，２２ｂの上端には、連結ステー２９に連結される下部ステー連結部２２ｄ，２２ｄがそれぞれ形成されている。
【００１３】
連結ステー２９は、一側部と他側部に、上部ステー連結部２２ｃ，２２ｃを第１連結ピン３０，３０を介して回動可能にそれぞれ連結する二股状の上部連結部２９ａ，２９ａと、下部ステー連結部２２ｄ，２２ｄを第２連結ピン３１，３１を介して回動可能にそれぞれ連結する二股状の下部連結部２９ｂ，２９ｂとを備えている。また、各下部ステー連結部２２ｄと各第２連結ピン３１とは球面ブッシュ（図示せず）を介して連結され、各下部ステー部材２２ｂは、第２連結ピン３１の径方向及び軸方向に回動可能に連結されている。さらに、連結ステー２９の一端部には、長手方向外側に突出して第１補強リンク部材３２を回動可能に連結する第１補強リンク連結部２９ｃが、他端部には、長手方向外側に突出して第２補強リンク部材３３を回動可能に連結する第２補強リンク連結部２９ｄがそれぞれ形成されている。さらに、連結ステー２９の上部連結部２９ａ，２９ａよりも長手方向中心側には、リーダ方向に突出する内側連結部２９ｅ，２９ｅがそれぞれ設けられている。また、連結ステー２９の長手方向中央部には、組立時にリーダ１５を連結する一対のリーダ連結ブラケット２９ｆ，２９ｆが設けられている。
【００１４】
第１補強リンク部材３２は、一端部に、第３連結ピン３４を介して第１補強リンク連結部２９ｃに回動可能に連結される二股状の第１連結部３２ａが、他端部に、第４連結ピン３５を介してバックステー連結ブラケット２３の一方の連結腕２３ａに連結される二股状の第２連結部３２ｂがそれぞれ設けられるとともに、第１連結部３２ａの近傍に、第２補強リンク部材側に突出し、第５連結ピン３６を介して一方の内側連結部２９ｅに連結される第３連結部３２ｃが設けられている。
【００１５】
第２補強リンク部材３３は、一端部に、第６連結ピン３７を介して第２補強リンク連結部２９ｄに回動可能に連結される二股状の第１連結部３３ａが、他端部に、第７連結ピン３８を介してバックステー連結ブラケット２３の他方の連結腕２３ａに連結される二股状の第２連結部３３ｂがそれぞれ設けられるとともに、第１連結部３３ａの近傍に、第１補強リンク部材側に突出し、第８連結ピン３９を介して他方の内側連結部２９ｅに連結される第３連結部３３ｃが設けられている。
【００１６】
このように形成された連結ステー２９と第１補強リンク部材３２と第２補強リンク部材３３とは、リーダ１５を立設してバックステー２２，２２で支持した組み立て状態で、バックステー２２，２２の中間部でリーダ１５と第３連結ピン３４と第６連結ピン３７とを頂点とした三角形状に配置される。
【００１７】
次に、図６乃至図１０に基づいて、リーダ及びバックステーの組み立て順序について説明する。
【００１８】
まず、図６乃至図８に示されるように、リーダ基部材１５ａの上部に、複数のリーダ部材１５ｂを連結し、頂部にトップシーブブロック２５を取り付けたリーダ１５を、ベースマシン１２の前方に載置した状態とする。上部旋回体１４にガントリ２７を立設し、起伏ウインチ（図示せず）からの起伏ロープ２８ａを、ペンダントロープ２８ｂを介してバックステー連結ブラケット２３に連結し、トップシーブブロック２５と上部旋回体１４とにバックテンションロープ２６を連結する。次いで、上部ステー部材２２ａ，２２ａの上端をリーダホルダ２０に連結するとともに、リーダ１５の下部に設けたステー架台４０を左右方向に広げ、該ステー架台４０の上部に、下端部にステーシリンダ２１，２１をそれぞれ取り付けた下部ステー部材２２ｂ，２２ｂを配置する。
【００１９】
一方、連結ステー２９の第１補強リンク連結部２９ｃを、第１補強リンク部材３２に設けた二股状の第１連結部３２ａの内側に差し込み、第３連結ピン３４を介して回動可能に連結するとともに、一方の内側連結部２９ｅと第３連結部３２ｃとを第５連結ピン３６を介して回動可能に連結する。さらに、連結ステー２９の第２補強リンク連結部２９ｄを、第２補強リンク部材３３に設けた二股状の第１連結部３３ａの内側に差し込み、第６連結ピン３７を介して回動可能に連結するとともに、他方の内側連結部２９ｅと第３連結部３３ｃとを第８連結ピン３９を介して回動可能に連結し、連結ステー２９と第１補強リンク部材３２と第２補強リンク部材３３とを予め連結しておく。
【００２０】
リーダ１５に設けた二股状の組立時連結ブラケット２３ｂ，２３ｂの内側に、連結ステー２９のリーダ連結ブラケット２９ｆ，２９ｆをそれぞれ差し込み、ピン４１，４１で連結し、第１補強リンク部材３２と第２補強リンク部材３３とを連結した状態の連結ステー２９を固定する。次いで、連結ステー２９に設けた二股状の上部連結部２９ａ，２９ａの内側に、上部ステー部材２２ａ，２２ａの上部ステー連結部２２ｃ，２２ｃをそれぞれ挿入し、第１連結ピン３０，３０を介してそれぞれ回動可能に連結するとともに、二股状の下部連結部２９ｂ，２９ｂの内側に、下部ステー部材２２ｂ，２２ｂの下部ステー連結部２２ｄ，２２ｄをそれぞれ挿入し、第２連結ピン３１，３１を介してそれぞれ回動可能に連結する。これにより、上部ステー部材２２ａと下部ステー部材２２ｂとが、連結ステー２９を介してそれぞれ回動可能に連結される。
【００２１】
次に、図９に示されるように、ピン４１，４１を抜いて連結ステー２９とリーダ１５との連結を解除し、第１連結ピン３０及び第２連結ピン３１にワイヤロープ４２を掛けて吊り上げ、第１補強リンク部材３２の二股状の第２連結部３２ｂに、バックステー連結ブラケット２３の一方の連結腕２３ａを差し込み、第４連結ピン３５を介して回動可能に連結するとともに、第２補強リンク部材３３の二股状の第２連結部３３ｂに、バックステー連結ブラケット２３の他方の連結腕２３ａを差し込み、第７連結ピン３８を介して回動可能に連結する。
【００２２】
次いで、図１０に示されるように、リーダ１５の先端側に架け渡されたワイヤロープ４３と起伏ロープ２８ａとでリーダ１５を引き起こし、リーダ１５を鉛直方向に起立させるとともに、バックステー２２，２２を立ち上げ、下部ステー部材２２ｂ，２２ｂの下端部に取り付けられたステーシリンダ２１，２１を、ステーシリンダ取付部１９，１９にそれぞれ取り付ける。このとき、ステー架台４０の位置や長さを調整しておくことにより、バックステー２２，２２の立ち上げに伴って、ステーシリンダ２１，２１がステーシリンダ取付部１９，１９の近傍に配置され、ステーシリンダ２１，２１を良好に取り付けることができる。なお、ワイヤ掛けや油圧配管の取り回しなどは従来の杭打機と同様に行われ、詳細な説明は省略する。
【００２３】
上述のように形成された杭打機１１は、各バックステー２２を上部ステー部材２２ａと下部ステー部材２２ｂとに分割することにより、従来のステー部材よりもステー部材を短く形成することができる。さらに、上部ステー部材２２ａと下部ステー部材２２ｂとは、連結ステー２９を介して回動可能に連結され、連結ステー２９の一端側とリーダ１５とを連結する第１補強リンク部材３２と、連結ステー２９の他端側とリーダ１５とを連結する第２補強リンク部材３３とを設けたことにより、重量を増大させることなくバックステー２２の座屈強度を向上させることができる。また、上部ステー部材２２ａと下部ステー部材２２ｂとは、リーダ１５の前後調整や角度調整を行う際に、リーダ１５の動作に追随してリーダ１５を支持することができることから、作業性を損なうことがない。さらに、連結ステー２９と第１補強リンク部材３２と第２補強リンク部材３３とは、バックステー２２，２２の中間部で、リーダ１５と第３連結ピン３４と第６連結ピン３７とを頂点とした三角形状に配置されることから、常に安定した状態でリーダ１５を支持することができる。
【符号の説明】
【００２４】
１１…杭打機、１２…ベースマシン、１３…下部走行体、１４…上部旋回体、１５…リーダ、１５ａ…リーダ基部材、１５ｂ…リーダ部材、１６…フロントジャッキ、１７…リーダブラケット、１８…リアジャッキ、１９…ステーシリンダ取付部、２０…リーダホルダ、２１…ステーシリンダ、２２…バックステー、２２ａ…上部ステー部材、２２ｂ…下部ステー部材、２２ｃ…上部ステー連結部、２２ｄ…下部ステー連結部、２３…バックステー連結ブラケット、２３ａ…連結腕、２３ｂ…組立時連結ブラケット、２４…ワイヤロープ、２５…トップシーブブロック、２６…バックテンションロープ、２７…ガントリ、２８ａ…起伏ロープ、２８ｂ…ペンダントロープ、２９…連結ステー、２９ａ…上部連結部、２９ｂ…下部連結部、２９ｃ…第１補強リンク連結部、２９ｄ…第２補強リンク連結部、２９ｅ…内側連結部、２９ｆ…リーダ連結ブラケット、３０…第１連結ピン、３１…第２連結ピン、３２…第１補強リンク部材、３２ａ…第１連結部、３２ｂ…第２連結部、３２ｃ…第３連結部、３３…第２補強リンク部材、３３ａ…第１連結部、３３ｂ…第２連結部、３３ｃ…第３連結部、３４…第３連結ピン、３５…第４連結ピン、３６…第５連結ピン、３７…第６連結ピン、３８…第７連結ピン、３９…第８連結ピン、４０…ステー架台、４１…ピン、４２，４３…ワイヤロープ
【図１】
2019002160.tif 000003
【図２】
2019002160.tif 000004
【図３】
2019002160.tif 000005
【図４】
2019002160.tif 000006
【図５】
2019002160.tif 000007
【図６】
2019002160.tif 000008
【図７】
2019002160.tif 000009
【図８】
2019002160.tif 000010
【図９】
2019002160.tif 000011
【図１０】
2019002160.tif 000012
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
ベースマシンの前部に設けられたリーダブラケットに起伏可能かつ前後左右に傾動可能に取り付けられるリーダに上端を連結し、下端を前記ベースマシンに接続した一対のバックステーを備えた三点支持式の杭打機において、
前記リーダの中間部の前記一対のバックステーと対向する側に、バックステー連結ブラケットが設けられ、
前記各バックステーは、前記リーダの上部に上端部が連結される上部ステー部材と、下端部がステーシリンダを介して前記ベースマシンの後部に接続される下部ステー部材とを、双方のバックステーの中間部を連結する着脱可能な連結ステーを介してそれぞれ回動可能に連結して形成され、
前記連結ステーの一側部と他側部には、各上部ステー部材の下端をそれぞれ回動可能に連結する上部連結部と、各下部ステー部材の上端をそれぞれ回動可能に連結する下部連結部とをそれぞれ備え、
前記連結ステーの一端側と前記リーダとを連結する第１補強リンク部材の一端部と、前記連結ステーの他端側と前記リーダとを連結する第２補強リンク部材の一端部とを着脱可能に設けるとともに、
前記リーダを立設して前記一対のバックステーで支持した組み立て状態にあっては、前記第１補強リンク部材と前記第２補強リンク部材と前記連結ステーとは、前記第１補強リンク部材の一端部が連結する前記連結ステーの一端側の連結部と、前記第２補強リンク部材の一端部が連結する前記連結ステーの他端側の連結部と、前記第１補強リンク部材の他端部及び前記第２補強リンク部材の他端部が連結する前記バックステー連結ブラケットの連結部とを頂点とした三角形状に配置される
ことを特徴とする杭打機。
【手続補正２】
【補正対象書類名】明細書
【補正対象項目名】０００６
【補正方法】変更
【補正の内容】
【０００６】
上記目的を達成するため、本発明の杭打機は、ベースマシンの前部に設けられたリーダブラケットに起伏可能かつ前後左右に傾動可能に取り付けられるリーダに上端を連結し、下端を前記ベースマシンに接続した一対のバックステーを備えた三点支持式の杭打機において、前記リーダの中間部の前記一対のバックステーと対向する側に、バックステー連結ブラケットが設けられ、前記各バックステーは、前記リーダの上部に上端部が連結される上部ステー部材と、下端部がステーシリンダを介して前記ベースマシンの後部に接続される下部ステー部材とを、双方のバックステーの中間部を連結する着脱可能な連結ステーを介してそれぞれ回動可能に連結して形成され、前記連結ステーの一側部と他側部には、各上部ステー部材の下端をそれぞれ回動可能に連結する上部連結部と、各下部ステー部材の上端をそれぞれ回動可能に連結する下部連結部とをそれぞれ備え、前記連結ステーの一端側と前記リーダとを連結する第１補強リンク部材と、前記連結ステーの他端側と前記リーダとを連結する第２補強リンク部材とを着脱可能に設けるとともに、前記リーダを立設して前記一対のバックステーで支持した組み立て状態にあっては、前記第１補強リンク部材と前記第２補強リンク部材と前記連結ステーとは、前記第１補強リンク部材の一端部が連結する前記連結ステーの一端側の連結部と、前記第２補強リンク部材の一端部が連結する前記連結ステーの他端側の連結部と、前記第１補強リンク部材の他端部及び前記第２補強リンク部材の他端部が連結する前記バックステー連結ブラケットの連結部とを頂点とした三角形状に配置されることを特徴としている。